(57)【特許請求の範囲】
【請求項１】
所定部に入球した遊技球を一定時間一時的に保留し得る電動移動体を遊技盤面に設けるとともに、該電動移動体から開放された遊技球を検知する球センサを該電動移動体の直下に設け、該球センサにより遊技球の通過が検知されることで閉成状態から開成状態となる電動可変入賞装置を該遊技球が流下し得る球センサの下方部分に設け、該電動可変入賞装置の開放時間は、前記球センサを通過した遊技球が開成状態中の電動可変入賞装置に容易には入球し得ない短時間と、開成状態中の電動可変入賞装置に入球し得る長時間とのいずれかに適宜設定されるようにしたことを特徴としたパチンコ遊技機。
【発明の詳細な説明】
【０００１】
【発明の属する技術分野】
本発明は遊技盤面に配置されるパチンコ遊技機の入賞装置に関するものである。
【０００２】
【従来の技術】
遊技盤面に通過ゲートを配置し遊技球の通過を検知する球センサを設けるとともに、該球センサにより遊技球の通過が検知されることで作動する種々の電動役物を遊技盤面に設けてなるパチンコ遊技機は周知である。
【０００３】
ところで、仮に遊技球が流下し得る通過ゲートの下方部分に前記球センサにより遊技球の通過が検知されることで閉成状態から開成状態となる電動可変入賞装置を設けたとすると、通過ゲートを通過した遊技球の全てが開成状態となっている電動可変入賞装置に入球してしまうので、過剰に入賞しゲームとしての面白味にも欠けるので、従来から通過ゲートの下方部分に電動可変入賞装置を設けるような配置はなされていない。
【０００４】
【発明が解決しようとする課題】
そこで本発明は、球センサによって開成状態となる電動可変入賞装置を該球センサの下方部分に設けながらも、該球センサを通過した全ての遊技球が電動可変入賞装置に入球することのないようにし、過剰な入球を抑えるとともにゲームとしての遊興性を増大させようとするものである。
【０００５】
【課題を解決するための手段】
そのために本発明のパチンコ遊技機は、所定部に入球した遊技球を一定時間一時的に保留し得る電動移動体を遊技盤面に設けるとともに、該電動移動体から開放された遊技球を検知する球センサを該電動移動体の直下に設け、該球センサにより遊技球の通過が検知されることで閉成状態から開成状態となる電動可変入賞装置を該遊技球が流下し得る球センサの下方部分に設け、該電動可変入賞装置の開放時間は、前記球センサを通過した遊技球が開成状態中の電動可変入賞装置に容易には入球し得ない短時間と、開成状態中の電動可変入賞装置に入球し得る長時間とのいずれかに適宜設定されるようにしたことを特徴とする。
【０００６】
【発明の実施の形態】
次に図面に従い本発明の実施の形態をフィーバー機と称される第一種パチンコ遊技機について説明する。図１にこのパチンコ遊技機の遊技盤１の正面を示す。遊技盤１面には遊技球を誘導する多数の釘が固植されているとともに、普通入賞口２、大入賞口３、風車４等が設けられている。５は数字，記号，キャラクタ等が動画状に変動表示される液晶ディスプレイからなる図柄変動表示装置である。なお、大入賞口３は大きな長方形状であって、該大入賞口にはソレノイドの作動により開閉動する開閉扉６が設けられている。７は該大入賞口内の中央部に形成された継続入賞口である。
【０００７】
８は図２に示したようにモータ９によって盤面上にて矢印に方向に１周６秒程度の低速回転をするように設けられた円盤状の電動移動体で、該電動移動体の外周縁に遊技球ｐが入球し得る切欠１０が設けられる。１１は該電動移動体の直下に設けられた磁気センサ，光センサ等の球センサである。該球センサ１１の下方部分には該球センサから流下した遊技球の当たる釘１２が固植されているとともに、一対の可変翼１３がソレノイドの作動により逆ハ字状に開成することにより開口面積が広がり遊技球の入球が容易となり得る電動可変入賞装置１４が設けられる。なお、２１は遊技球ｐの脱落を防ぐため電動移動体８の下半部外周に設けられた円弧状壁である。
【０００８】
図３はこのパチンコ遊技機の本発明に関連する遊技制御回路の要部を示したブロック図で、１１は前記球センサ、１５は電動可変入賞装置１４に入球した遊技球を検出する始動スイッチ、１６は大入賞口３への入賞球を計数するスイッチ、１７は継続入賞口７への入賞球を検出するスイッチである。また、この遊技制御基板１８にはこれらのスイッチの他、電動可変入賞装置１４の可変翼１３を作動させるソレノイド１９、前記大入賞口３の開閉扉６を作動させるソレノイド２０、図柄変動表示装置５等が夫々入出力装置を介して接続されている。
【０００９】
次にこのパチンコ遊技機の本発明に関連する作動の概要を図４のフローチャートに従い説明する。遊技盤１面上に発射された遊技球が電動移動体８の切欠１０に入球すると、該遊技球は該切欠に保留され、該電動移動体８が回転するのに伴い該遊技球はその真下に来て開放され、球センサ１１により検知される。そしてステップａにて球センサ１１により遊技球が検知されると、ステップｂに移行して現況が後述する特定時であるかどうかが判別され、特定時であった場合はステップｃに移行し電動可変入賞装置１４を開成させ、ステップｄ，ステップｅにて３．０秒経過後に該電動可変入賞装置１４を閉成させ、ステップaに戻る。また、特定時でない場合（初期時は特定時でない。以下、通常時という。）はステップｆに移行し電動可変入賞装置１４を開成させ、ステップｇ，ステップｈにて０．２秒経過後に該電動可変入賞装置１４を閉成させる。
【００１０】
このように、特定時にあっては電動可変入賞装置１４が長時間（３．０秒間）開成されているので、球センサ１１を通過した遊技球ｐは開成状態となっている可変翼１３に捕捉されてほぼ確実に入球する。一方、通常時にあっては電動可変入賞装置４が短時間（０．２秒間）開成されているだけであるので、球センサ１１を通過した遊技球ｐが到達したころには可変翼１３は既に閉じていて容易には入球し得ない状況となる。
【００１１】
そして、電動可変入賞装置１４に遊技球が入球すると図柄変動表示装置５に３列にて１〜８の数字および○，△，□，×等の１２種類の図柄がその順番にて上方から下方に流れる如くの動画状に変動表示され、数秒後にその変動は停止し、その停止図柄が各列とも同一かどうかが判定され、「２２２」または「７７７」のように同一となった場合は大当たりと判定され、大入賞口３の開閉扉６を継続的に開成状態とする。このため該大入賞口に多数の遊技球が入賞し得て、多数の景品球を獲得でき遊技者に多くの利益がもたらされる。また、停止図柄が同一とならなかった場合はこのような大当たりの利益は得られない。
【００１２】
なお、パチンコ遊技機の現況の遊技状態が特定時であるか通常時であるかは、この第一種パチンコ遊技機の場合は上記のように大当たりをもたらした停止図柄によって予め決められるようにしてもよい。例えば停止図柄が「３３３」「５５５」「７７７」等の奇数で大当たりをもたらした場合はその大当たり動作が終了した後の一定期間を特定時とし、そうした特定の条件が満たされていない場合は通常時とする。
【００１３】
このパチンコ遊技機では、切欠１０に入球した遊技球を電動移動体８が半回転する間一時的に保留し得るので、球センサ１１による遊技球の検知は該電動移動体８が半回転するに要する時間のインターバルが必ず設けられるようになる。このため球センサ１１が連続的に遊技球を検知し電動可変入賞装置１４を連続的に開成させることで該電動可変入賞装置の入球を異常に容易にするようなおそれがない。
【００１４】
なお、図５に示した実施形態は、遊技盤１の背面に設けたソレノイド２２を作動させることによって板状の電動移動体８が遊技盤１面上に出没動するように設け、該電動移動体８が突出しているときに該電動移動体上に遊技球ｐが保留され該電動移動体を後退させたとき該遊技球ｐがその直下に設けられた球センサ１１により検知され電動可変入賞装置１４を閉成状態から開成状態とするようにしたものである。このように電動移動体８の形態については上記実施形態に示した回転体に限らず種々の形状を想定し得る。
【００１５】
また、本発明は図１に示した遊技盤の盤面構成に限らず、図６に示したように、球センサ１１の斜め下方で該球センサを作動させた遊技球が流下し得る電動可変入賞装置１４を設けるようにしてもよい。なお２３は新たに中央部に設けられた入賞装置である。
【００１６】
なお、この実施形態では特定時と通常時とが図柄変動表示装置５の停止図柄によって決められるようにしたが、その他の要因、例えば遊技球が入賞装置２３に設けられた特定入賞口に入球すること等によって決められるようにしてもよい、。
【００１７】
【発明の効果】
このように本発明のパチンコ遊技機は、所定部に入球した遊技球を一定時間一時的に保留し得る電動移動体を遊技盤面に設けるとともに、該電動移動体から開放された遊技球を検知する球センサを該電動移動体の直下に設け、該球センサにより遊技球の通過が検知されることで閉成状態から開成状態となる電動可変入賞装置を該遊技球が流下し得る球センサの下方部分に設け、該電動可変入賞装置の開放時間は、前記球センサを通過した遊技球が開成状態中の電動可変入賞装置に容易には入球し得ない短時間と、開成状態中の電動可変入賞装置に入球し得る長時間とのいずれかに適宜設定されるようにしたので、球センサによる遊技球の検知で電動可変入賞装置を開成状態とするものであっても、入賞が極度に容易になることはなく、状況によって入賞を適度に抑えることができるとともに、従来のパチンコ遊技機にはなかった態様にて入球し、ゲームとしての遊興性を増大させる効果がある。
【図面の簡単な説明】
【図１】本発明に係るパチンコ遊技機の遊技盤の実施形態を示す正面図。
【図２】図１に示した遊技盤の要部の拡大縦断面図。
【図３】本発明に係るパチンコ遊技機の実施形態を示すブロック図。
【図４】本発明に係るパチンコ遊技機の実施形態を示すフローチャート。
【図５】本発明に係るパチンコ遊技機の遊技盤の要部の拡大縦断面図。
【図６】本発明に係るパチンコ遊技機の遊技盤の他の実施形態を示した正面図。
【符号の説明】
１              遊技盤
５              図柄変動表示装置
８              電動移動体
１０            切欠
１１            球センサ
１２            釘
１３            可変翼
１４            電動可変入賞装置
ｐ              遊技球
【図１】
0003914349.tif 000002
【図２】
0003914349.tif 000003
【図３】
0003914349.tif 000004
【図４】
0003914349.tif 000005
【図５】
0003914349.tif 000006
【図６】
0003914349.tif 000007